(57)【要約】【課題】装置手前側に広がりすぎることがなく、ゴミ袋やゴミ収納のための容量を大きくする。【解決手段】開閉用フレームＦ１，Ｆ２は、垂直フレーム３の設置面から所定高さ位置５で連結され、開閉用フレームＦ１，Ｆ２を設置面Ｇに向かって拡開すると、先端Ｆｇａが連結されている設置用フレームＦｇの垂直フレーム側Ｆｇｂが設置面Ｇと接触して、ネットＮが開きゴミやゴミ袋Ｐを収納する所定容量の空間を形成する。開閉用フレームＦ１，Ｆ２は、拡開したときに斜め上方に配される第１の開閉用フレームＦ１と、拡開したときに斜め下方に配される第２の開閉用フレームＦ２とからなる。【選択図】　図１
2004035240.tif 000002
【特許請求の範囲】
【請求項１】
設置面に対して垂直に立設される垂直フレームと、垂直フレームと連結されて垂直状態から設置面に向かって開閉動作する開閉用フレームと、開閉用フレームと先端は連結されるが、垂直フレーム側は伸縮部材により連結されているか、又は、連結されない自由端とされている設置用フレームと、これらのフレームに上方から被せるように取り付けられる底部が開口するネットとを備え、
開閉用フレームは、垂直フレームの設置面から所定高さ位置で連結され、開閉用フレームを設置面に向かって拡開すると、先端が連結されている設置用フレームの垂直フレーム側が設置面と接触して、ネットが開きゴミやゴミ袋を収納する所定容量の空間を形成することを特徴とする折り畳み式のゴミ収納装置。
【請求項２】
前記開閉用フレームは、拡開したときに垂直フレームの設置面から所定高さ位置を基準としてこれよりも斜め上方に配される第１の開閉用フレームと、拡開したときに垂直フレームの設置面から所定高さ位置を基準としてこれよりも斜め下方に配される第２の開閉用フレームとからなり、ネットはこれら第１と第２の開閉用フレームの拡開状態の位置で連結されていることを特徴とする請求項１記載の折り畳み式のゴミ収納装置。
【請求項３】
前記垂直フレームの下端に横桟が配され、前記設置用フレームが拡開した状態の垂直フレーム側の端部と上記横桟とを互いに連結固定する連結固定手段が設けられていることを特徴とする請求項１又は請求項２載の折り畳み式のゴミ収納装置。
【発明の詳細な説明】
【０００１】
【発明の属する技術分野】
この発明は、開閉用フレームを拡開するとネットが開きゴミを収納する所定容量の空間を形成する折り畳み式のゴミ収納に関する。
【０００２】
【従来の技術】
一般家庭等のゴミは、透明袋等の所定のゴミ袋に入れられ、決められた日に決められた場所に出され、ごみ収集車がこれを回収する。ごみ収集車が回収するまでの間は、カラスや猫等の小動物がゴミを荒らさないようにするために、通常ネットを被せるようにしている。ネットは、ゴミ袋の上に被せられる所定の大きさを有し、ゴミ（ゴミ袋）を出す人は、ネットの端部を手で持ち上げるようにして、多数のゴミ袋の上に被せた後、ネットの端部が設置面（地面）にまで及ぶように広げて、小動物がゴミ（ゴミ袋）を荒らさないようにする。ごみ収集車がゴミを回収するときは、ゴミ集配業者等はネットをまくりあげて、或いは、所定箇所に折り畳んでから、ゴミ袋をごみ収集車に積み込む。ネットは担当（当番）の住民が所定箇所に片付ける。
【０００３】
しかし、ゴミ袋の上にネットを被せるだけでは、カラスや猫等の小動物がゴミ袋を突付く等によりゴミ袋を破損させるおそれを有する。また、ネットの端部を手で持ち上げるようにするときに、手が汚れたり、逐一ネットがゴミ袋を覆うように配置することは面倒な作業となる。特に、雨の日は、ネットが設置面（地面）の砂や雨水等と接触しているので、ネットの配置作業が重くなったり、雨水や砂等により手や衣服が汚れるなどの問題を有する。そこで、近年、折り畳み式のゴミ収納装置が開発され、いくつかの地方公共団体で使用されている。例えば、特開２０００−２８９８０３号の「折り畳みゴミ収納装置」や特開２００２−１１４３０９号の「ゴミ収納装置」に開示されるものがそれで、設置面に対して垂直に立設される垂直フレームと、垂直状態から設置面に向かって開閉する開閉用フレームと、これらのフレームにネットが取り付けられて、開閉フレームを拡開するとネットが開きゴミ（ゴミ袋）を収納する所定容量の空間を形成する。
【０００４】
開閉用フレームは、コ字状を呈して、その左右端部が垂直フレームの下端側に開閉動作可能に連結されている。ネットは、ゴミ袋を入れるための開口部を有するとともに、この開口部を開閉するカバーを有し、垂直フレームや開閉用フレームに端部が括り付けられ、これらフレームに沿って折り畳まれる。開閉フレームは、複数本有して、これを所定の枠組みとして拡開するとネットが所定の大きさに開く。ゴミを収納するために拡開して使用するときは、垂直フレームと重なるように折り畳まれた状態の開閉用フレームを設置面に接するまで拡開させる。つまり、垂直状態から９０度の弧を描くように開くようにすると、ネットが所定容量の空間を形成する。ゴミ袋を捨てるときは、開口部のカバーを開いて入れる。ゴミ収集車による回収のときは、開閉用フレームを元の状態の垂直状態に折り畳んで、多数のゴミ袋を一度に回収する。
【０００５】
【発明が解決しようとする課題】
ところで、地域においては、上記装置によりゴミ袋を大量に収納したいときがある。しかしながら、上記従来公報のものの概略構成を示す図１２のように、ゴミ袋Ｐを大量に収納したいときには、垂直フレーム３と開閉用フレームＦ１１，Ｆ１２の拡開方向の先端における長さを長くする必要があるが、単に長さを長くすると、開閉用フレームＦ１１，Ｆ１２は垂直状態から９０度弧を描くように開くように設定されているために、装置手前側１Ａに広がりすぎて、歩行者や車両等の邪魔になる問題を有していた。また、図１２に示すような従来公報のものでは、開閉用フレームＦ１１，Ｆ１２は垂直状態から９０度開くように設定されているために、ゴミ袋Ｐがかさばり多少手前側１Ａに膨らんだときは、開閉用フレームＦ１１，Ｆ１２を元の垂直状態に折り畳むようにすると、膨らんだゴミ袋Ｐが邪魔になり、開閉用フレームＦ１１，Ｆ１２を元の垂直状態に折り畳むことが出来なくなるか、折り畳み難くなる問題を有していた。
【０００６】
さらに、ゴミ袋を収納する容量空間を大きくするために、単に垂直フレームの所定高さ位置に開閉用フレームを開閉動作可能に取り付けると、ネットの下方端（設置面側）にスペースが生じ、内部にカラスや猫等の小動物が進入してしまう問題を有する（特開２０００−２８９８０３号の「折り畳みゴミ収納装置」では、地面と接地ステーやキャスタとの間に生じる隙間から内部にカラスや猫等の小動物が進入してしまう問題を有する）。また、上記従来のものでは、ネットが下方端、つまり設置面の端部にまで予め配されているために、折り畳んで所定の場所に移動させるときに、足元やズボンにネットが接触して汚れるというような問題も有していた。
【０００７】
そこで本発明の目的は、装置手前側に広がりすぎることがなくゴミ収納のための容量を大きくするとともに、ゴミ袋がかさばり装置手前側に多少膨らんでも開閉用フレームを折り畳むことが可能な折り畳み式のゴミ収納装置を提供することにある。
【０００８】
【課題を解決するための手段】
本発明の請求項１記載の折り畳み式のゴミ収納装置は、設置面に対して垂直に立設される垂直フレームと、垂直フレームと連結されて垂直状態から設置面に向かって開閉動作する開閉用フレームと、開閉用フレームと先端は連結されるが、垂直フレーム側は伸縮部材により連結されているか、又は、連結されない自由端とされている設置用フレームと、これらのフレームに上方から被せるように取り付けられる底部が開口するネットとを備え、開閉用フレームは、垂直フレームの設置面から所定高さ位置で連結され、開閉用フレームを設置面に向かって拡開すると、先端が連結されている設置用フレームの垂直フレーム側が設置面と接触して、ネットが開きゴミやゴミ袋を収納する所定容量の空間を形成することを特徴とする。
【０００９】
この発明によれば、ゴミ袋やゴミを収納するために拡開して使用するときは、垂直フレームの所定高さ位置で連結される開閉用フレームを開くようにすると、開閉用フレームと先端が連結される設置用フレームも開いて設置用フレームの先端が設置面に接した後、伸縮部材により連結されているか、又は、連結されない自由端とされている設置用フレームの垂直フレーム側が設置面に接触することになる。開閉用フレームは、垂直フレームの所定高さ位置で連結されているために、開閉フレームと設置用フレームの開いた状態でのゴミを収納する所定空間は、高さ方向に大きな収納空間として嵩高に形成される。他方、この折り畳み式のゴミ収納装置を折り畳むときは、設置用フレームと開閉用フレームの互いの先端が連結されているので、開閉用フレームと設置用フレームのいずれか或いは両方を垂直フレームに向かって折り畳むと、同時に折り畳むことができる。
【００１０】
本発明の請求項２記載の折り畳み式のゴミ収納装置は、前記請求項１記載の発明を前提として、前記開閉用フレームは、拡開したときに垂直フレームの設置面から所定高さ位置を基準としてこれよりも斜め上方に配される第１の開閉用フレームと、拡開したときに垂直フレームの設置面から所定高さ位置を基準としてこれよりも斜め下方に配される第２の開閉用フレームとからなり、ネットはこれら第１と第２の開閉用フレームの拡開状態の位置で連結されていることを特徴とする。
【００１１】
この発明によれば、拡開したときに垂直フレームの設置面から所定高さ位置を基準としてこれよりも斜め上方に配される第１の開閉用フレームと、拡開したときに垂直フレームの設置面から所定高さ位置を基準としてこれよりも斜め下方に配される第２の開閉用フレームとにより、これらに被せられるネットは、垂直フレームの設置面から所定高さ位置から水平方向に最も広がる位置よりも側方の間隔が狭くなって開くこととなる。すなわち、装置手前側では、第１の開閉用フレームと第２の開閉用フレームの長さ（半径の長さ）が最も広くなる水平方向の間隔よりも横幅が狭くなる。
【００１２】
本発明の請求項３記載の折り畳み式のゴミ収納装置は、請求項１又は請求項２記載の発明を前提として、前記垂直フレームの下端に横桟が配され、前記設置用フレームが拡開した状態の垂直フレーム側の端部と上記横桟とを互いに連結固定する連結固定手段が設けられていることを特徴とする。
【００１３】
この発明によれば、設置用フレームが設置面に接したときに、連結固定手段により設置用フレームの垂直フレーム側の端部と横桟とを連結固定することにより、設置用フレームの垂直フレーム側の端部が移動することがなくなるとともに、装置全体としても安定性が向上する。
【００１４】
【発明の実施の形態】
以下、本発明の一実施の形態について図面を参照して詳細に述べる。
【００１５】
（第１の実施の形態）
本実施の形態は、図１ないし図４に示すように、設置面に対して垂直に立設される垂直フレーム３と、展開すると設置面である地面に接触する設置用フレームＦｇと、垂直フレーム３と連結されて垂直状態から設置面Ｇに向かって開閉する開閉用フレームＦ１，Ｆ２と、これらのフレーム３，Ｆｇ，Ｆ１，Ｆ２に取り付けられるネットＮとを備えている折り畳み式のゴミ収納装置１である。
【００１６】
垂直フレーム３は、鋼鉄製又は合成樹脂製のパイプを逆Ｕ字状に折り曲げて形成されたもので、左右の垂直部の下方端部は、水平な板材の脚部４Ａ，４Ｂと連結されている。逆Ｕ字状の垂直フレーム３の左右の垂直部の間には、横桟７ａ，７ｂ，７ｃが配設されている。本実施の形態では、横桟７ａ，７ｂ，７ｃは、下端側７ａと上方側７ｃと、これらの間のほぼ中央部７ｂの３本配設されている。
【００１７】
開閉用フレームＦ１，Ｆ２は、鋼鉄製又は合成樹脂製の丸棒状のもので、これをコ字状に折り曲げて形成され、その左右先端が垂直フレームの所定高さ位置（回転基準位置）５で連結されている。所定高さ位置（回転基準位置）５は、本実施の形態では、設置面Ｇから約４５０ｍｍである。開閉用フレームＦ１，Ｆ２は、拡開したときに斜め上方に配される第１の開閉用フレームＦ１と、拡開したときに斜め下方に配される第２の開閉用フレームＦ２とからなり、いずれもコ字状に折り曲げて形成され、その左右辺の端部が垂直フレーム３の所定高さ位置５で連結されて、この所定高さ位置５を回転基準位置として、装置手前側１Ａに開閉動作する。本実施の形態では、第１の開閉用フレームＦ１と第２の開閉用フレームＦ２は、そのコ字状の第１の開閉用フレームＦ１と第２の開閉用フレームＦ２の左右辺の端部に、中央部の横桟７ｂを貫通する貫通用穴を介して取り付けられ、中央部の横桟７ｂの位置で開閉動作する。ただし、ボルトとナットを介して垂直フレーム３の所定高さ位置５で開閉動作可能に連結することも可能である。そして、本実施の形態では、中央部の横桟７ｂの内側方向に向かって第１の開閉用フレームＦ１の次に第２の開閉用フレームＦ２が順に取り付けられている。すなわち、第１の開閉用フレームＦ１が第２の開閉用フレームＦ２よりも外側になるように連結されている。しかし、図８に示すように、これとは逆の順に取り付けることも可能である。
【００１８】
設置用フレームＦｇは、地面等の設置面Ｇと接触するもので、鋼鉄製又は合成樹脂製の丸棒状のもので、これをコ字状に折り曲げて形成されている。このコ字状の設置用フレームＦｇと同じくコ字状の第２の開閉用フレームＦ２とは、互いの中央先端Ｆ２ａ，Ｆｇａは連結されているが、設置用フレームＦｇの垂直フレーム３側の端部Ｆｇｂは、伸縮部材８により所定高さ位置（回転基準位置）５と連結されている。この伸縮部材８は、二本の棒状部材８Ａ，８Ｂの互いの端部を回転自在に連結してなるもので、一方の棒状部材８Ａと他方の棒状部材８Ｂとは各々の自重により１８０度開く構造になっているとともに、一方の棒状部材８Ａの上方は、中央の横桟７ｂと連結され、他方の棒状部材８Ｂの下方は、設置用フレームＦｇの垂直フレーム３側の端部Ｆｇｂと連結されている。したがって、第２の開閉用フレームＦ２を拡開動作させると、その先端Ｆ２ａは、設置用フレームＦｇの先端Ｆｇａとともに設置面Ｇと接触するとともに、垂直フレーム側も、伸縮部材８が開いて（伸張して）第１の開閉用フレームＦ２から離れて設置面Ｇに設置する。
【００１９】
逆Ｕ字状の垂直フレーム３の先端中央には、掛止部材６が取り付けられている。掛止部材６は、第２の開閉用フレームＦ２を垂直状態に折り畳んだときに、垂直フレーム３に対して係止させるもので、断面Ｃ字状を呈し、この断面Ｃ字状の掛止部材６に対してパイプ状の第２の開閉用フレームＦ２の掛止と解除が可能になっている。掛止部材６に対して第２の開閉用フレームＦ２を掛止させると、互いの先端Ｆ２ａ，Ｆｇａが連結されている設置用フレームＦｇも折り畳まれる。本実施の形態では、第２の開閉用フレームＦ２と設置用フレームＦｇの互いの先端Ｆ２ａ，Ｆｇａは、連結用金具Ｃを利用してボルトとナットで連結されているが、互いの先端Ｆ２ａ，Ｆｇａを紐２で連結しても良い。
【００２０】
ここで、本実施の形態では、この伸縮部材８とネットＮとは、紐２により連結されていないが、連結しても良い。伸縮部材８は、第３の実施の形態のように設けられないものでも良い。すなわち、連結されない自由端とされているものでも良い。さらに、垂直フレーム３の左右の垂直部において、所定高さ位置（回転基準位置）５から上方と下方を別部材に構成すると共に、その下方から上方が回転可能に連結させて、所定高さ位置（回転基準位置）５が設置面Ｇに接触するようにすることも可能である。なお、脚部４Ａ，４Ｂは、垂直フレーム３に対して角度変更可能なキャスター等を使用することで、上記所定高さ位置（回転基準位置）５を確保した使用と設置面Ｇでの使用の両方に対応させればよい。
【００２１】
ネットＮは、底面側が開口する袋状のもので上記各フレーム３，Ｆ１，Ｆ２，Ｆｇに上方から被せるように取り付けられる。すなわち、底面を除く外側を覆ったものである。この袋状のネットＮは、小角孔を規則的に列設した所定の開孔率を有する樹脂製ネット（メッシュ状のもの）や、多数の孔のないもの、つまりシート状の合成樹脂製であるが、布製等でも良く、その材質は問われない。この底面を除く外側を覆ったネットＮは、垂直フレーム３と拡開した状態の第１と第２の開閉用フレームＦ１，Ｆ２に上方から被せられ、これらのフレーム３，Ｆ１，Ｆ２に沿って開いた状態になる。本実施の形態では、ネットＮがフレーム３，Ｆ１，Ｆ２に沿って開いた状態の上記所定高さ位置５から下方側をスカート部Ｎｓとして説明する。ネットＮには、フレーム３，Ｆ１，Ｆ２や横桟７ａ，７ｂ，７ｃと結ぶ結び紐２が所定箇所に配されている。スカート部Ｎｓの下方端部は、設置用フレームＦｇと結び紐２で結ばれている。本実施の形態では、結び紐２は、設置用フレームＦｇの垂直フレーム３側（端部Ｆｇｂ側）が移動するために、これに対応するように、ゴム製の伸縮部材による結び紐２を設置用フレームＦｇに結び付けても良い。いずれにしても、設置用フレームＦｇの拡開動作に柔軟に対応すると共に、設置用フレームＦｇの端部Ｆｇｂ側において、ネットＮのスカート部Ｎｓが開いてカラスや猫等の小動物が進入してしまう隙間も生じさせることがないようにする。
【００２２】
ここで、第１の開閉用フレームＦ１が完全に拡開したときの垂直フレーム３からの傾斜角度θ１は、垂直フレーム３の上方向を０度として、所定高さ位置５を回転の中心として約７０度の位置（斜め上方の位置）に拡開し、第２の開閉用フレームＦ２が完全に拡開したときの垂直フレーム３からの傾斜角度θ２は、同じく約１２０度の位置（斜め下方の位置）に拡開して停止する（図３）。このように所定角度θ１，θ２に拡開して停止する理由は、ネットＮの所定箇所と第１及び第２の開閉用フレームＦ１，Ｆ２の各先端Ｆ１ａ，Ｆ２ａが紐で各々連結されて（図示せず）、それ以上に拡開しないようになっているからである。さらに、伸縮部材８が伸張した長さは、垂直フレーム３の回転基準位置５から設置面Ｇとの間隔とほぼ同じか若干短く構成されている（図５（ｃ）（ｄ））。また、詳しくは、設置用フレームＦｇの垂直フレーム側の端部から拡開方向の先端における長さ（コ字状の設置用フレームＦｇの左右辺の長さ）は、第２の開閉用フレームＦ２の垂直フレーム側の端部から拡開方向の先端における長さ（コ字状の第１の開閉用フレームＦ１の左右辺の長さ）よりも短く構成されている（図５（ａ）参照）。また、第１の開閉用フレームＦ１の垂直フレーム側の端部から拡開方向の先端における長さは、第２の開閉用フレームＦ２の垂直フレーム側の端部から拡開方向の先端における長さ（コ字状の第２の開閉用フレームＦ２の左右辺の長さ）より短くされて、第２の開閉用フレームＦ２の先端Ｆ２ａを掛止部材６に掛止できるようになっている。また、コ字状の第１の開閉用フレームＦ１は、コ字状の左右のコーナー部以外は垂直フレーム３の逆Ｕ字形状の中に収まる長さに設定されている。これらは、底部が四角形状に開口するネットＮを所定の枠組で開くようにするためで、そのための枠組みとなる開閉用フレームＦ１，Ｆ２と垂直フレーム３の設置面Ｇから所定高さ位置５との関係で設定されている。
【００２３】
また、図７に示すように、設置用フレームＦｇが拡開した状態の垂直フレーム側の端部（或いは伸縮部材８の他方８Ｂ）と下方の横桟７ａと連結固定する連結固定手段１０が設けられている。連結固定手段１０は、伸縮部材８の他方８Ｂに一方端１０ｂが固定され、他方が横桟７ａに対し着脱するＣ字状の嵌合部１０ａを有するもので、設置用フレームＦｇを拡開させた垂直フレーム側の端部Ｆｇａを連結固定状態にする。このような連結固定手段１０は、着脱可能なものであれば、伸縮部材８の他方８Ｂと垂直フレーム３の下端側脚部４Ａと連結するものでも良い。このため、設置用フレームＦｇを拡開させた垂直フレーム側の端部Ｆｇａが開くことを防止するとともに、装置１の全体の安定性も向上させる。
【００２４】
次に、本実施の形態の折り畳み式のゴミ収納装置１による使用例を説明する。ゴミを収納するために拡開して使用するときは、図５（ａ）に示すように垂直フレーム３に沿うように折り畳まれている第２の開閉用フレームＦ２を掛止部材６から外して、装置手前側１Ａに拡開させると（図５（ｂ））、まず、第１の開閉用フレームＦ１が垂直状態から回転基準位置５を中心にして約７０度、弧を描くように開き（図５（ｃ）（ｄ））、次に、第２の開閉用フレームＦ２が垂直状態から回転基準位置５を中心にして約１２０度、弧を描くように開いて、その先端Ｆ２ａが地面等の設置面Ｇと接する（図５（ｄ））。ネットＮと第１の開閉用フレームＦ１とは結び紐２により連結され、ネットＮと第２の開閉用フレームＦ２とは、同じく結び紐２により連結されているので、第１の開閉用フレームＦ１と第２の開閉用フレームＦ２は、上記開いた角度θ１，θ２以上には開くことはない。第２の開閉用フレームＦ２の先端Ｆ２ａが地面等の設置面Ｇと接すると、第２の開閉用フレームＦ２の先端Ｆ２ａと連結される設置用フレームＦｇの先端Ｆｇａも設置面Ｇに接触することとなる。
【００２５】
第２の開閉用フレームＦ２と設置用フレームＦｇが弧を描くように拡開動作を始めると、これらの先端Ｆ２ａ，Ｆｇａを中心にして、これらの垂直フレーム３側の端部Ｆ２ｂ，Ｆｇｂの距離が離れ（図５（ｂ）（ｃ））、伸縮部材８が伸張する。すなわち、伸縮部材８が第２の開閉用フレームＦ２と設置用フレームＦｇの垂直フレーム３側の端部Ｆ２ａ，Ｆｇａの開き動作を規制して、これらの端部Ｆ２ｂ，Ｆｇｂを垂直フレーム３の下端、つまり端部Ｆｇｂを下端側の横桟７ａに近づける働きをするとともに、設置用フレームＦｇの垂直フレーム３側が静かに設置面Ｇに接触することとなる（図５（ｄ））。最後に、伸縮部材８の他方８Ｂに一方端１０ｂが固定され連結固定手段１０のＣ字状の嵌合部１０ａを横桟７ａに対し嵌合させると（図７）、装置１としての安定性が確保されると共に、設置用フレームＦｇの垂直フレーム３側の端部Ｆｇｂが不意に開くことが防止される。
【００２６】
第１及び第２の開閉用フレームＦ１，Ｆ２と設置用フレームＦｇが拡開動作を始めると、ネットＮはこれらのフレームＦｇ，Ｆ１，Ｆ２に沿って開いた状態になるが、スカート部Ｎｓの下方端部Ｎｓａが設置用フレームＦｇに取り付けられていることから、設置用フレームＦｇの垂直フレーム３側が設置面Ｇに接触すると、スカート部Ｎｓの下方端部Ｎｓａも下方に延びて設置面Ｇとの隙間を生じさせることがなくなる（図３）。なお、ネットＮの下方側端部Ｎｓａと、垂直フレーム３の下方側や伸縮部材８とは、拡開動作が終了した後、ゴミを収納する所定容量の空間を形成するが、猫、犬やカラス等の小動物が入り込む隙間も生じさせることがないように、紐２で結ぶようにしても良い。
【００２７】
このようにして、本装置１を拡開動作させると、第２の開閉用フレームＦ２は、垂直フレーム３の所定高さ位置５で連結されているために、その先端Ｆ２ａが設置面Ｇと接して斜め下方に拡開した第２の開閉用フレームＦ２と設置用フレームＦｇが設置面Ｇに接した部分の嵩高になった分が従来の装置（図１２）よりも嵩高になる、つまり、ネットＮのスカート部Ｎｓの部分が、高さ方向に収納空間が大きく形成される。このとき、ネットＮのスカート部Ｎｓは、開閉用フレームＦ１，Ｆ２の拡開方向の先端Ｆ１ａ，Ｆ２ａよりも広くなることはない。ネットＮのスカート部Ｎｓは、第１の開閉用フレームＦ１の先端Ｆ１ａから垂下するからである（図３）。そして、第１の開閉用フレームＦ１も第２の開閉用フレームＦ２も垂直フレーム３の回転基準位置５を中心にして水平方向ＳＳの位置では停止せず、斜め下方に配置されて停止するので（図６）、装置手前側１Ａに大きく拡開することはない（第２の開閉用フレームＦ２の全長が装置手前側１Ａの方向に拡開されることがない）。ネットＮは、垂直フレーム３の設置面から所定高さ位置５から水平方向に最も広がる位置Ｈ２よりも側方の間隔Ｈ１の幅で狭くなって開く（図３、図６）。このことから、拡開された状態では、設置用フレームＦｇも第１の及び第２の開閉用フレームＦ１，Ｆ２も、装置前面側１Ａに拡開しすぎることはなく、道路や広場等に設置するときに、歩行者や車等の邪魔になる事態を最小限度にする。つまり、設置スペースが限られた場所での使用に好適である。第１の開閉用フレームＦ１も第２の開閉用フレームＦ２も垂直フレーム３の回転基準位置５を中心にして水平方向ＳＳの位置では停止せず、斜めに配置されて停止するので（図６）、装置手前側１Ａに大きく拡開することはないからである。ゴミ袋Ｐを本装置１内に入れるときは、開口部のカバー９を開いて入れる。このような折り畳み式のゴミ収納装置１の使用例としては、雨の日において、ゴミ袋Ｐの底が雨に濡れないように所定高さの台座（簀子やパレット等）を引き、その上にゴミ袋が載るようにして、これらを囲むように折り畳み式のゴミ収納装置１を配置するようにして使用することができる。
【００２８】
他方、ゴミを回収車により回収するときや折り畳み式のゴミ収納装置１を片付けるために折り畳むときは、連結固定手段１０のＣ字状の嵌合部１０ａを横桟７ａから外してから、第２の開閉用フレームＦ２を垂直フレーム３に向かって折り畳み、掛止部材６に対して第２の開閉用フレームＦ２を掛止させると、折り畳むことができる（図５（ａ））。すなわち、掛止部材６に対して第２の開閉用フレームＦ２を掛止させるように折り畳むと、互いの先端Ｆ２ａ，Ｆｇａが連結されている設置用フレームＦｇも折り畳まれ、また、第１の開閉用フレームＦ１は第２の開閉用フレームＦ２の内側に位置するように配されているので、第１の開閉用フレームＦ１は第２の開閉用フレームＦ２に吸収されるように折り畳まれる。第２の開閉用フレームＦ２と設置用フレームＦｇとは、互いの先端Ｆ２ａ，Ｆｇａが連結されているので、設置用フレームＦｇに手を掛けて折り畳むことも可能である。第２の開閉用フレームＦ２と設置用フレームＦｇの先端Ｆ２ａ，Ｆｇａは連結されているので、いずれか或いは両方に手を掛けて折り畳むことも可能である。ゴミ収集車による回収のときは、開閉用フレームＦ１，Ｆ２を元の状態の垂直状態に折り畳んで、多数のゴミ袋Ｐを一度に回収する。
【００２９】
ところで、上記従来公報のものでは、ゴミ袋がかさばり多少手前側１Ａに膨らんだときは、開閉用フレームＦ１１，Ｆ１２は垂直状態から９０度開くように設定されているために、膨らんだゴミ袋Ｐが邪魔になり、開閉用フレームＦ１２を折り畳むことが出来なくなる問題を有していた（図１２）。しかし、本実施の形態では、図６に示すように、第１の開閉用フレームＦ１の横幅Ｈ１の範囲にゴミ袋が納まれば、多少膨らんでも円弧状に開閉する第２の開閉用フレームＦ２の開閉動作に支障は生じない。すなわち、装置手前側１Ａでは、拡開したときに斜め上方に配される第１の開閉用フレームＦ１の先端Ｆ１ａの位置から下方にネットＮが垂れ下がるようになるが、第１の開閉用フレームＦ１の左右側の長さ（半径の長さ）よりも長い第２の開閉用フレームＦ２は、ネットＮが垂れ下がる位置よりも外側をその先端Ｆ２ａが拡開するので（図６の一点鎖線参照）、ゴミ袋Ｐの収納状態により装置前面側（ネットＮが垂れ下がる位置）１ＡにネットＮが多少膨出するようになっても、第２の開閉用フレームＦ２の拡開動作に影響はない。
【００３０】
また、本実施の形態では、開閉用フレームＦ１，Ｆ２は、二本であるが、二本以上で構成するようにすることも可能である。ただし、上記第１の実施の形態のように構成すれば、一本の垂直フレーム３と二本の開閉用フレームＦ１，Ｆ２と一本の設置用フレームＦｇにより、本装置１の骨組み構造が形成され、部品点数の削減と費用の低廉化が図られる。なお、脚部４Ａ，４Ｂに、本装置１の移動を可能にするキャスター等を設けることは実施に応じ可能である。
【００３１】
（第２の実施の形態）
本実施の形態は、図９（ａ）（ｂ）に示すように、上記伸縮部材８として、バネ（引っ張りコイルばね）１８を使用して、設置用フレームＦｇの垂直フレーム３側の端部Ｆｇｂと垂直フレーム３とを連結させた折り畳み式のゴミ収納装置２１である。このばね１８を使用することで、そのばね１８の作用により設置用フレームＦｇの折り畳みが容易になる。なお、このばね１８が伸張したときは、上記連結固定手段１０により連結固定させることが好ましい。その他の構成は、第１の実施の形態と同様である。また、垂直フレーム３側の端部Ｆｇｂを横桟７ａの下に差し込むことで、ばね１８の戻りを止める方法も実施に応じ可能である（図９（ｂ））。
【００３２】
（第３の実施の形態）
本実施の形態は、図１０及び図１１に示すように、第２の開閉用フレームＦ２の先端Ｆ２ａと設置用フレームＦｇの先端Ｆｇａは連結されるが、設置用フレームＦｇの垂直フレーム３側の端部Ｆｇｂは、垂直フレーム３側とは連結されない自由端とされる折り畳み式のゴミ収納装置３１である。しかし、図１１（ａ）（ｂ）（ｃ）（ｄ）に示すように、ネットＮの下方端部Ｎｓａが設置用フレームＦｇに取り付けられていることから、設置用フレームＦｇの自由端とされる垂直フレーム３側の端部Ｆｇｂが設置面Ｇに突き刺さるような危険はない（図１１（ｃ）（ｄ）参照）。
【００３３】
ここで、図１１（ａ）（ｂ）（ｃ）に示すように、垂直フレーム３側のネットＮの下方側Ｎ３は、垂直フレーム３の上方側に折り返しておき、各フレームＦ１，Ｆ２，Ｆｇの拡開動作を行ってから設置面Ｇ側に広げて使用したり、逆に、折り畳んだ後は、垂直フレーム３の上方側に折り返すようにすると良い。このようにすると、折り畳んだ状態では、従来と異なり、折り畳んだ状態の設置面Ｇから所定高さ位置５の間には、ネットＮはなく、このため、足元やズボンにネットＮが接触して汚れる心配がない。その他の構成は、第１の実施の形態と同様である。
【００３４】
以上、各実施の形態では、装置手前側１Ａのみに開く構成で説明したが、本発明は、垂直フレーム３を中心にして左右に、つまり装置手前側１Ａとは反対側１Ｂに各々拡開動作させる構造にして各実施の形態よりも２倍の収納容量のものとして構成することも可能である。
【００３５】
【発明の効果】
本発明の折り畳み式のゴミ収納装置によれば、開閉用フレームは、垂直フレームの所定高さ位置で連結されているために、開閉フレームと設置用フレームの開いた状態でのゴミを収納する所定空間は、高さ方向に大きな収納空間として嵩高に形成することができ、大量のゴミ袋を収納可能にする。また、ネットの下方端部は、設置用フレームに取り付けられていることから、設置用フレームの垂直フレーム側が設置面に接触すると、スカート部が下方に延びて設置面との間に隙間を生じさせることがなく、カラスや猫等の小動物が進入してしまう事態も防止できる。
【００３６】
また、拡開したときに垂直フレームの設置面から所定高さ位置を基準としてこれよりも斜め上方に配される第１の開閉用フレームと、拡開したときに垂直フレームの設置面から所定高さ位置を基準としてこれよりも斜め下方に配される第２の開閉用フレームとにより、これらに被せられるネットは、垂直フレームの設置面から所定高さ位置から水平方向に最も広がる位置よりも側方の間隔が狭くなって開き、ゴミを収納する所定容量の空間が必要以上に歩行者や車等の邪魔になる事態を防止することが可能になる。
【００３７】
【図面の簡単な説明】
【図１】本発明の第１の実施の形態の折り畳み式のゴミ収納装置を示す斜視図である。
【図２】上記第１の実施の形態の正面図である。
【図３】上記第１の実施の形態の側面図である。
【図４】上記第１の実施の形態のフレーム構造の斜視図である。
【図５】上記第１の実施の形態の開閉用フレームの開閉状態を説明する図である。
【図６】上記第１の実施の形態においてゴミ袋が収納された状態を示す側面図である。
【図７】上記第１の実施の形態の横桟と設置用フレームが連結固定手段により固定された状態を示す斜視図である。
【図８】上記第１の実施の形態の他の例を示す正面図である。
【図９】本発明の第２の実施の形態の折り畳み式のゴミ収納装置のフレーム構造を示す側面図である。
【図１０】本発明の第３の実施の形態の折り畳み式のゴミ収納装置のフレーム構造を示す斜視図である。
【図１１】上記第３の実施の形態の開閉用フレームの開閉状態を説明する図である。
【図１２】従来の折り畳み式のゴミ収納装置の側面図である。
【符号の説明】
１，２１，３１　　折り畳み式のゴミ収納装置、
１Ａ　　　　　　　装置手前側、１Ｂ　装置手前側とは反対側、
２　　　　　　　　結び紐（紐）、
３　　　　　　　　垂直フレーム、
５　　　　　　　　所定高さ位置（回転基準位置）、
４Ａ，４Ｂ　　　　脚部、
６　　　　　　　　掛止部材、
７ａ，７ｂ，７ｃ　横桟、
８，８Ａ，８Ｂ，１８　伸縮部材、
９　　　　　　　　カバー、
１０　　　　　　　連結固定手段、
Ｆ１，Ｆ２　　　　開閉用フレーム、
Ｆ１　　　　　　　第１の開閉用フレーム、
Ｆ１ａ　　　　　　第１の開閉用フレームの先端、
Ｆ１ｂ　　　　　　第１の開閉用フレームの垂直フレーム側の端部、
Ｆ２　　　　　　　第２の開閉用フレーム、
Ｆ２ａ　　　　　　第２の開閉用フレームの先端、
Ｆ２ｂ　　　　　　第２の開閉用フレームの垂直フレーム側の端部、
Ｆｇ　　　　　　　設置用フレーム、
Ｆｇａ　　　　　　設置用フレームの先端、
Ｆｇｂ　　　　　　設置用フレームの垂直フレーム側の端部、
Ｇ　　　　　　　　設置面、
Ｈ１　　　　　　　側方の間隔（横幅）、
Ｈ２　　　　　　　開閉用フレームの長さが最も広くなる垂直方向の間隔、
Ｎ　　　　　　　　ネット、　Ｎｓ　ネットのスカート部、
Ｎｓａ　　　　　　ネットスカート部の下方端部、
Ｎ３　　　　　　　ネットの垂直フレーム側の下方側（折り返し箇所）、
θ１　　　　　　　第１の開閉用フレームの傾斜角度（拡開状態）、
θ２　　　　　　　第２の開閉用フレームの傾斜角度（拡開状態）、
Ｐ　　　　　　　　ゴミ袋（ゴミ）、
【図１】
2004035240.tif 000003
【図２】
2004035240.tif 000004
【図３】
2004035240.tif 000005
【図４】
2004035240.tif 000006
【図５】
2004035240.tif 000007
【図６】
2004035240.tif 000008
【図７】
2004035240.tif 000009
【図８】
2004035240.tif 000010
【図９】
2004035240.tif 000011
【図１０】
2004035240.tif 000012
【図１１】
2004035240.tif 000013
【図１２】
2004035240.tif 000014